(57)【特許請求の範囲】
【請求項１】
互いに隣接ゾーンあるいは周辺ゾーンとなる無線ゾーンを個別に形成する複数Ｍの無線基地局に至る無線系の通話路と、これらの無線ゾーンに位置する移動局の通話相手に至る対向系の通話路とに個別に接続されるべきＭ個の端子を有し、これらの無線系の通話路の内、個別に与えられる伝送品質が最良であるものを選択して前記対向系の通話路に接続する複数Ｎのハンドオーバトランクと、
前記ハンドオーバトランクの数Ｎに等しい異なる方路に対して、前記複数の無線基地局との間に個別に形成された複数の回線の分配を行う複数の無線インタフェース手段と、
前記複数の無線インタフェース手段によって行われる分配の対象となる個々の方路と、前記複数のハンドオーバトランクが有する端子の内、前記対向系の通話路に個別に接続されるべき端子以外の個々の端子との全ての組み合わせについて、予め前記無線系の通話路を形成する無線系通話路形成手段と、
前記複数の無線基地局が行う無線チャネル設定制御と前記複数の無線インタフェース手段を介して連係し、前記無線ゾーンに位置する移動局に生起した呼に呼処理を施す呼処理手段と、
呼処理手段によって施される呼処理の下で前記対向系の通話路を形成する対向系通話路形成手段と
を備えたことを特徴とする交換機。
【請求項２】
請求項１に記載の交換機において、
複数の無線基地局によって形成される個々の無線ゾーンについて、隣接ゾーンあるいは周辺ゾーンに該当する無線ゾーンの集合が予め登録された記憶手段２１を備え、
呼処理手段は、
呼処理の対象である個々の呼について、生起した移動局が位置しあるいは位置すると予測され得る無線ゾーンを求め、かつ複数のハンドオーバトランクの内、無線系の通話路に接続されたものに、その無線ゾーンに対して前記記憶手段に登録された無線ゾーンを通知する手段を有し、
前記複数のハンドオーバトランクは、
前記呼処理手段によって通知された無線ゾーンに対応した無線系の通話路に限定して伝送品質が最良であるものを選択する
ことを特徴とする交換機。
【請求項３】
請求項１または請求項２に記載の交換機において、
無線系通話路形成手段は、
対向系通話路形成手段と共に一体化されて構成され、かつ呼処理手段が行う呼処理の下で無線系の通話路を形成する
ことを特徴とする交換機。
【請求項４】
請求項１または請求項２に記載の交換機において、
無線系通話路形成手段は、
対向系通話路形成手段とは別体に構成され、無線系の通話路の全てを自律的に形成する
ことを特徴とする交換機。
【請求項５】
請求項１ないし請求項４の何れか１項に記載の交換機において、
複数の回線には、
非同期転送モードが適用され、
無線系通話路形成手段は、
前記非同期転送モードに適合した無線系の通話路を形成する
ことを特徴とする交換機。
【発明の詳細な説明】
【０００１】
【発明の属する技術分野】
本発明は、通話中チャネル切り替えが行われる移動通信システムの無線基地局にリンクを介して接続され、その移動通信システムに生起した呼の呼処理を行う交換機に関する。
【０００２】
【従来の技術】
ＣＤＭＡ(Code Division Multiple Access) 方式は、本来的に秘匿性と耐干渉性とを有するために軍事用の通信に多く適用されていたが、その耐干渉性の積極的な利用の下では、一般に、無線周波数の有効利用がはかられる。また、近年、精度および応答性が高い送信電力制御を実現する技術が確立したために、このようなＣＤＭＡ方式は、無線ゾーンに散在する移動局が移動しながら通話状態を保ち、かつ通話中チャネル切り替え（ハンドオーバ）を行う移動通信システムにも積極的に適用されつつある。
【０００３】
さらに、このような移動通信システムについては、通話中チャネル切り替えの対象となる移動局から隣接する個々の無線ゾーンの基地局に到来する受信波のレベルが上述した電力制御の下で適宜可変されるために、ＴＤＭＡ(Time DivisionMultiple Access)方式やＦＤＭＡ(Frequency Division Multiple Access)方式が適用された移動通信システムのように、そのレベルに基づいて移行先の無線ゾーンを一義的に決定することはできない。
【０００４】
したがって、ＣＤＭＡ方式が適用された移動通信システムは、上述した移行先の無線ゾーンを円滑に動的に切り替えることが可能であるＡＴＭ(Asynchronous Transfer Mode)交換機が適用され、そのＡＴＭ交換機と個々の無線基地局との間はＡＴＭに適応したリンクを介して結ばれる。
図１０は、移動通信システムに適用されたＡＴＭ交換機の構成例を示す図である。
【０００５】
図において、図示されない無線基地局との間に形成された全二重方式の回線は、多重分離装置７１に接続される。多重分離装置７１の分離出力はそれぞれヘッダコンバータ（ＨＣＶ）７２u1〜７２umを介してＡＴＭスイッチ７３の個別に対応するポートの上り端子に接続され、これらのポートの下り端子はそれぞれ多重分離装置７１の対応する多重化入力に接続される。ＡＴＭスイッチ７３が有する他の複数（＝ｍ）個のポート（以下、「ハンドオフポート」という。）の下り端子はハンドオーバトランク７４1〜７４mの対応する入力に接続され、これらの入力と対をなすハンドオーバトランク７４1〜７４mの出力はそれぞれヘッダコンバータ（ＨＣＶ）７２d1〜７２dmを介してハンドオフポートの上り端子に接続される。ヘッダコンバータ７２u1〜７２um、７２d1〜７２dm、ＡＴＭスイッチ７３およびハンドオーバトランク７４1〜７４mの制御端子には、プロセッサ７６の対応する出力（通信）ポートが接続される。
【０００６】
このような構成のＡＴＭ交換機が適用された移動通信システムでは、上述した無線基地局は、その無線基地局が予め決められた無線チャネル設定制御の手順に基づいて割り付けた個々の無線チャネルについて、図１１(a) に示すように、識別情報ＬＬＮを示すショートセルヘッダと、受信された通話信号を示す語が配置されるペイロードとからなる単数または複数のショートセルと、これらのショートセルの伝送路として既述の回線の上りのリンクに予め形成された論理チャネルの識別情報（ＶＰＩ、ＶＣＩ）を示すヘッダとからなる標準セルを生成し、その論理チャネルに送出する。
【０００７】
多重分離装置７１は、ヘッダコンバータ７２u1〜７２umとの間に、このようにして無線基地局から送出され得る無線基地局の識別情報ＬＬＮ1〜ＬＬＮmの全てに個別に対応した物理チャネルを予め形成する。
また、多重分離装置７１は、上述した標準セルが無線基地局から受信されると、その標準セルを図１１(a) に示す形式に基づいてショートセル単位に分割し、かつ図１１(b) に示すように、これらのショートセルに所定長の疑似ビットを付加して語長を標準セルの語長と同じ値に設定することにより、パーシャルフィリングセルの列を生成する。
【０００８】
さらに、多重分離装置７１は、これらのパーシャルフィリングセルをそれぞれ上述した物理チャネルに送出する。
ヘッダコンバータ７２u1〜７２umは、このようにして個々の物理チャネルを介して与えられるパーシャルフィリングセルを取り込み、これらのパーシャルフィリングセルについて、呼処理の手順に従ってプロセッサ７６によって与えられた論理チャネル（ＡＴＭスイッチ７３を介して接続されるそのＡＴＭスイッチ７３のポートを示す。）の識別情報((ＶＰＩP1、ＶＣＩP1)〜(ＶＰＩPm、ＶＣＩPm）で示される。）にヘッダを変換する処理を施した後に、ＡＴＭスイッチ７３の対応するポートに与える。
【０００９】
また、このようなポートは、同様の呼処理の手順に基づいてＡＴＭスイッチ７３に形成されたパス（回線交換方式に基づいて形成される。）を介してハンドオーバトランク７４1〜７４mの何れかの入力に接続される。
さらに、そのハンドオーバトランク７４1〜７４mの入力は、同様にして呼処理の下でＡＴＭスイッチ７３に設定された他のパスを介して、上述した無線基地局以外の隣接無線基地局と、通話相手の端末または局間伝送路に適応したインタフェースをとるトランク（図示されない。）とに接続される。
【００１０】
なお、このようなトランクからハンドオーバトランク７４1〜７４mに至る上りの区間と、これらのハンドオーバトランク７４1〜７４mからヘッダコンバータ７２d1〜７２dm、ＡＴＭスイッチ７３および多重分離装置７１を介して上述した無線基地局に至る下りの区間とに形成される通信路については、全二重方式の回線として可逆性があるので、ここではその説明を省略する。
【００１１】
また、ヘッダコンバータ７２u1〜７２umは、上述した無線基地局が通話中チャネル切り替えを実現するために行う無線チャネル設定制御と既述の呼処理との連係しつつ、プロセッサ７６によって先行して与えられた論理チャネルの識別情報が更新されると、順次その更新の結果に適応する。したがって、ハンドオーバトランク７４1〜７４mは、通話中チャネル切り替えに応じて常時予め決められた通話品質が確保できる複数の無線基地局との間に、ヘッダコンバータ７２u1〜７２um、７２d1〜７２dm、ＡＴＭスイッチ７３および多重分離装置７１を介して並行して通話信号の伝送路を形成する。
【００１２】
さらに、ハンドオーバトランク７４1〜７４mは、これらの複数の伝送路を介して与えられるパーシャルフィリングセルの内、ショートセルヘッダに含まれる信頼度情報（無線基地局によって評価された無線伝送路の伝送品質を示す。）を比較することにより、伝送品質が最良である無線伝送路（無線基地局）に対応した方路を絶えず選択する。
【００１３】
したがって、通話路がハンドオーバトランク７４1〜７４mを介して形成される呼の通話品質は、移動局の送信電力が送信電力制御の下で変動しても無線伝送路の伝送特性の変動とその移動局の移動とに適応しつつ良好に保たれる。
なお、上述した従来例では、公衆網との接続に供されるトランクについては、本発明に直接関係がないので、ここでは図示および説明を省略する。
【００１４】
【発明が解決しようとする課題】
しかし、上述した従来例では、ヘッダコンバータ７２u1〜７２um、７２d1〜７２dmに論理チャネルの識別情報を与えるプロセッサ７６は、全ての完了呼について通話中チャネル切り替えが行われる度にこのような識別情報の更新を行わなければならず、その更新の回数は、全ての移動局が移動しない状態における同様の回数（伝送速度が１５０Ｍbps であるＡＴＭ伝送路については、平均保留時間が３分である場合には、毎秒２０〜３０回が現行技術の上限となる。）に比べて大幅に大きい。
【００１５】
したがって、ＣＤＭＡ方式が適用された移動通信システムについては、従来のＡＴＭ交換機を何ら改造を施すことなく適用することは困難であった。
また、従来のＡＴＭ交換機は、上述した更新の遅延が通話品質の大幅な劣化の要因となるために、移動通信システムにおける電話系の呼には特に適用が困難であった。
【００１６】
本発明は、ハードウエアの構成に大幅な変更を来すことなく頻繁な通話中チャネル切り替えの発生に柔軟に適応できる交換機を提供することを目的とする。
【００１７】
【課題を解決するための手段】
図１は、請求項１〜５に記載の発明の原理ブロック図である。
【００１８】
請求項１に記載の発明は、互いに隣接ゾーンあるいは周辺ゾーンとなる無線ゾーンを個別に形成する複数Ｍの無線基地局に至る無線系の通話路と、これらの無線ゾーンに位置する移動局の通話相手に至る対向系の通話路とに個別に接続されるべきＭ個の端子を有し、これらの無線系の通話路の内、個別に与えられる伝送品質が最良であるものを選択して対向系の通話路に接続する複数Ｎのハンドオーバトランク１１1〜１１Nと、ハンドオーバトランク１１1〜１１Nの数Ｎに等しい異なる方路に対して、複数の無線基地局との間に個別に形成された複数の回線の分配を行う複数の無線インタフェース手段１２1〜１２Mと、複数の無線インタフェース手段１２1〜１２Mによって行われる分配の対象となる個々の方路と、複数のハンドオーバトランク１１1〜１１Nが有する端子の内、対向系の通話路に個別に接続されるべき端子以外の個々の端子との全ての組み合わせについて、予め無線系の通話路を形成する無線系通話路形成手段１３と、複数の無線基地局が行う無線チャネル設定制御と複数の無線インタフェース手段１２1〜１２Mを介して連係し、無線ゾーンに位置する移動局に生起した呼に呼処理を施す呼処理手段１４と、呼処理手段１４によって施される呼処理の下で対向系の通話路を形成する対向系通話路形成手段１５とを備えたことを特徴とする。
【００１９】
請求項２に記載の発明は、請求項１に記載の交換機において、複数の無線基地局によって形成される個々の無線ゾーンについて、隣接ゾーンあるいは周辺ゾーンに該当する無線ゾーンの集合が予め登録された記憶手段２１を備え、呼処理手段１４は、呼処理の対象である個々の呼について、生起した移動局が位置しあるいは位置すると予測され得る無線ゾーンを求め、かつ複数のハンドオーバトランク１１1〜１１Nの内、無線系の通話路に接続されたものに、その無線ゾーンに対して記憶手段２１に登録された無線ゾーンを通知する手段を有し、複数のハンドオーバトランク１１1〜１１Nは、呼処理手段１４によって通知された無線ゾーンに対応した無線系の通話路に限定して伝送品質が最良であるものを選択することを特徴とする。
【００２０】
請求項３に記載の発明は、請求項１または請求項２に記載の交換機において、無線系通話路形成手段１３は、対向系通話路形成手段１５と共に一体化されて構成され、かつ呼処理手段１４が行う呼処理の下で無線系の通話路を形成することを特徴とする。
請求項４に記載の発明は、請求項１または請求項２に記載の交換機において、無線系通話路形成手段１３は、対向系通話路形成手段１５とは別体に構成され、無線系の通話路の全てを自律的に形成することを特徴とする。
【００２１】
請求項５に記載の発明は、請求項１ないし請求項４の何れか１項に記載の交換機において、複数の回線には、非同期転送モードが適用され、無線系通話路形成手段１３は、非同期転送モードに適合した無線系の通話路を形成することを特徴とする。
請求項１に記載の発明にかかわる交換機では、無線インタフェース手段１２1 〜１２M は、ハンドオーバトランク１１1〜１１Nの数Ｎに等しい異なる方路に対して、互いに隣接ゾーンあるいは周辺ゾーンとなる無線ゾーンを個別に形成する複数の無線基地局との間に個別に形成された複数の回線の分配を行う。無線系通話路形成手段１３は、このような分配の対象となる個々の方路と、これらのハンドオーバトランク１１1〜１１Nが有する端子の内、対向系の通話路に個別に接続されるべき端子以外の個々の端子との全ての組み合わせについて、予め無線系の通話路を形成する。
【００２２】
一方、呼処理手段１４は、無線インタフェース手段１２1〜１２Mを介して上述した複数の無線基地局が行う無線チャネル設定制御と連係し、これらの無線基地局が形成する無線ゾーンに位置する移動局に生起した呼に呼処理を施す。さらに、対向系通話路形成手段１５は、呼処理手段１４によって施される呼処理の下でこれらの無線ゾーンに位置する移動局の通話相手に至る対向系の通話路を形成する。
【００２３】
ハンドオーバトランク１１1〜１１Nは、それぞれ上述した無線系の通話路の内、これらの通話路について個別に与えられる伝送品質が最良であるものを選択して既述の対向系の通話路に接続する。
このように伝送品質が最良である無線系の通話路の選択は、無線系通話路形成手段１３によって予め形成された無線系通話路の内、何れかをハンドオーバトランク１１1〜１１Nが自律的に選択することにより行われる。
【００２４】
したがって、上述した無線系の通話路が呼処理の下で動的に設定される場合に比べて、通話中チャネル切り替えに伴う通話路の切り替えに要する処理の負荷はハンドオーバトランク１１1 〜１１N に対して確実に分散される。
請求項２に記載の発明にかかわる交換機では、記憶手段２１には、複数の無線基地局によって形成される個々の無線ゾーンについて、隣接ゾーンあるいは周辺ゾーンに該当する無線ゾーンの集合が予め登録される。呼処理手段１４は、呼処理の対象である個々の呼について、生起した移動局が位置しあるいは位置すると予測され得る無線ゾーンを求め、かつハンドオーバトランク１１1〜１１Nの内、通話路に接続されたものに、その無線ゾーンに対して上述したように記憶手段２１に登録された無線ゾーンを通知する。また、ハンドオーバトランク１１1 〜１１N は、このようにして通知された無線ゾーンに対応した無線系の通話路に限定して伝送品質が最良であるものを選択する。
【００２５】
すなわち、ハンドオーバトランク１１1〜１１Nは、それぞれ割り付けられた呼について、生起した移動局が位置し得る無線ゾーンとの間に無線系通話路形成手段１３を介して形成された通話路のみの伝送品質を比較するので、負荷が大幅に軽減され、かつこれらの移動局の移動に応じて頻繁に行われる通話中チャネル切り替えに確実に適応しつつ伝送品質が高く維持される。
【００２６】
請求項３に記載の発明にかかわる交換機では、無線系通話路形成手段１３は、対向系通話路形成手段１５と共に一体化されて構成され、かつ呼処理手段１４が行う呼処理の下で無線系の通話路を形成する。
【００２７】
すなわち、無線系の通話路が対向系の通話路を形成する対向系通話路形成手段１５の共用の下で形成されるので、ハードウエアの構成に変更を来すことなく頻繁に行われる通話中チャネル切り替えに柔軟に適応することが可能となる。
請求項４に記載の発明にかかわる交換機では、無線系通話路形成手段１３は、対向系通話路形成手段１５とは別体に構成され、かつ無線系の通話路の全てを自律的に形成する。
【００２８】
したがって、対向系通話路形成手段１５がその固有のポートの数の範囲では全ての無線系の通話路を予め形成することができない場合であっても、無線系通話路形成手段１３が付加された構成の下で、請求項１、２に記載の交換機と同様にして、その対向系通話路形成手段１５や呼処理手段１４の負荷がハンドオーバトランク１１1〜１１Nに対して確実に分散され、かつ頻繁に行われる通話中チャネル切り替えに適応して伝送品質が高く維持される。
【００２９】
請求項５に記載の発明にかかわる交換機では、無線インタフェース手段１２1 〜１２M と複数の無線基地局との間に形成された複数の回線に非同期転送モードが適用され、かつ無線系通話路形成手段１３はその非同期転送モードに適合した無線系の通話路を形成する。
したがって、電話系の呼だけではなく、データ系の呼についても画一的に通信路が確保され、かつハンドオーバトランク１１1〜１１Nは、伝送情報が分割して与えられたセルの単位にそのセルのヘッダを参照することにより効率的に通話路を選定することができる。
【００３０】
【発明の実施の形態】
以下、図面に基づいて本発明の実施形態について詳細に説明する。
図２は、請求項１〜５に記載の発明に対応した実施形態を示す図である。
図において、図１０に示すものと機能および構成が同じであるものについては、同じ符号を付与して示し、ここではその説明を省略する。
【００３１】
本実施形態は、ＡＴＭ交換機３０に併せて、そのＡＴＭ交換機３０に通信リンクを介して接続された無線回線制御局３１および無線基地局３２から構成される。
なお、無線回線制御局３１および無線基地局３２の数については、以下では、簡単のため単一であると仮定する。
ＡＴＭ交換機３０と図１０に示す従来例との構成の相違点は、多重分離装置７１に代えて多重分離装置７１ａが備えられ、その多重分離装置７１ａには個別に回線を介して無線回線制御局（ここでは、簡単のため符号「３１」が付されたもののみを図示する。）が接続され、ヘッダコンバータ７２u1〜７２um、７２d1〜７２dmに代えてヘッダコンバータ７２11〜７２1N、…、７２M1〜７２MNが備えられ、ハンドオーバトランク７４1〜７４mに代えてハンドオーバトランク７４ａ1 〜７４ａN が備えられ、プロセッサ７６に代えてプロセッサ７６ａが備えられた点にある。
【００３２】
なお、ヘッダコンバータ７２11〜７２1N、…、７２M1〜７２MNは、何れも上りのリンクと下りのリンクに対応したヘッダコンバータ（例えば、従来例における７２u1、７２d1の組み合わせ）が一体化されて構成される。
無線回線制御局３１は、上述した回線に接続された外部インタフェース部（ＥＩＦ）３３と、無線基地局３２との間に形成されたディジタルリンクに接続された伝送路インタフェース部（ＨＩＦ）３４と、その伝送路インタフェース部３４と外部インタフェース部３３との間に介装されたスイッチ部（ＳＷ）３５と、これらの外部インタフェース部３３、伝送路インタフェース部３４およびスイッチ部３５の制御端子に接続された無線制御部（ＲＣＮＴ）３６とから構成される。
【００３３】
無線基地局３２は、上述したディジタルリンクに接続された伝送路インタフェース部（ＨＩＦ）３７と、その伝送路インタフェース部３７とアンテナ３８の給電端との間に縦属接続されたベースバンド信号処理部（ＢＢ）３９、無線部（ＴＲＸ）４０および送受信増幅部（ＡＭＰ）４１と、これらの伝送路インタフェース部３７、ベースバンド信号処理部３９、無線部４０および送受信増幅部４１の制御端子に接続された制御部（ＢＣＮＴ）４２とから構成される。
【００３４】
ハンドオーバトランク７４ａ1 は、図３に示すように、ＡＴＭスイッチ７３ａの対応するポートを介して形成される上りの回線と下りの回線とにそれぞれ接続された回線インタフェース部（ＩＮＦＲ）５１ｄと、回線インタフェース部（ＩＮＦＳ）５１ｕと、これらの回線インタフェース部５１ｄ、５１ｕの間に縦属接続されたセル抽出部（ＤＲＯＰ）５２、セルバッファ（ＢＵＦＦ）５３およびセル変換部（ＩＮＳ）５４と、セル抽出部５２の品質情報出力端子とセルバッファ５３の品質情報入力端子とに接続された品質情報比較部（ＱＣＭＰ）５５と、セル抽出部５２の制御出力とセル変換部５４の制御入力との間に縦属接続された書き込み制御部５６（ＷＣ）５７、セル情報管理部（ＩＭＮＧ）５７および読み出し制御部（ＲＣ）５８と、書き込み制御部５６および読み出し制御部５８の監視制御端子に接続されたバッファ監視部（ＢＭＮＧ）５９と、そのバッファ監視部５９の出力端子に併せて、書き込み制御部５６および読み出し制御部５８のアドレス出力端子とセルバッファ５３の２つのアドレス入力との間に配置されたアドレス変換部（ＡＤＣＶ）６０と、読み出し制御部５８のアドレス出力端子とセル変換部５４のヘッダ入力端子との間に配置されたヘッダ変換部（ＨＣＶ）６１と、セル抽出部５２のアドレス出力と書き込み制御部５６および読み出し制御部５８のアドレス入力との間に配置されたセル識別部６２（ＣＨＣＶ）と、プロセッサ７６ａに通信リンクを介して接続され、かつ上述した各部（符号「５１ｄ」〜「６２」で示される。）を統括して制御する制御部６３とから構成される。
【００３５】
なお、本実施形態と図１に示すブロック図との対応関係については、ハンドオーバトランク７４ａ1〜７４ａNはハンドオーバトランク１１1〜１１Nに対応し、多重分離装置７１ａおよびヘッダコンバータ７２11〜７２1N、…、７２M1〜７２MNは無線インタフェース手段１２1〜１２Mに対応し、ＡＴＭスイッチ７３ａは無線系通話路形成手段１３および対向系通話路形成手段１５に対応し、プロセッサ７６ａは呼処理手段１４に対応する。
【００３６】
図４は、本実施形態の動作を説明する図(1) である。
図５は、本実施形態の動作を説明する図(2) である。
以下、図３〜図５を参照して請求項１〜５に記載の発明に対応した本実施形態の動作を説明する。
無線基地局３２では、無線部４０は送受信増幅部４１およびアンテナ３８を介して無線ゾーンを形成する。制御部４２は、伝送路インタフェース部３７、３４を介して対向する無線制御部３６の主導の下で、このような無線ゾーンについて無線チャネル設定制御を行い、かつ自局にかかわる無線回線の管理と設定や開放にかかわる制御を行う。
【００３７】
無線回線制御局３１では、スイッチ部３５は、上述した無線チャネル設定制御の下で自局の配下に形成された複数の無線基地局間におけるダイバーシチハンドオーバ処理を行う。また、ベースバンド信号処理部３９は、アンテナ３８、送受信増幅部４１および無線部４０を介して対向する移動局（図示されない。）との間で送受される情報について、変復調（ＣＤＭＡ方式に適応する。）、符復号化処理（無線伝送路に適応した誤り訂正符合化方式に適応する。）、同期制御、情報の多重分離処理およびセクタ間におけるハンドオーバ合成等を実現する処理を行う。
【００３８】
また、無線制御部３６は、スイッチ部３５と伝送路インタフェース部３４とに併せて、伝送路インタフェース部３７、ベースバンド信号処理部３９、無線部４０、送受信増幅部４１およびアンテナ３８を介して既述の移動局と対向し、上述した無線チャネル設定制御の手順に基づいて制御情報を送受する。
一方、ＡＴＭ交換機３０では、プロセッサ７６ａは、無線基地局３２から無線回線制御局３１、多重分離装置７１ａおよびヘッダコンバータ７２11〜７２1N、７２M1〜７２MNを介してＡＴＭスイッチ７３ａのポートの内、ハンドオーバトランク７４ａ1〜７４ａNに対応したポートに至る区間に、上述した無線ゾーンに形成される全ての無線チャネルに個別に対応して形成されるべきＰＶＣ（以下、「無線系ＰＶＣ」という。）について、図６に示すように、構成を示すＶＣＩ、ＶＰＩ、ＬＬＮ（パーシャルフィリングセルの識別情報）が予め登録された無線系ＰＶＣテーブル６４を局情報として有する。
【００３９】
また、プロセッサ７６ａは、ヘッダコンバータ７２11〜７２1N、７２M1〜７２MNおよびＡＴＭスイッチ７３ａを介して上述した無線系ＰＶＣの何れかに接続され、かつ自局の資源管理の下で呼やハンドオーバトランク７４ａ1〜７４ａNに割り付けられるべき回線（以下、「無線側回線」という。）について、図７に示すように、構成を示すＶＣＩ、ＶＰＩ、ＬＬＮに併せて、何らかの呼に割り付けられているか否かを示すステータスＢ／Ｉと、そのステータスがＢ（割り付けられていることを示す。）であるときに該当する呼の識別情報と、その呼に割り付けられた無線チャネルを示すチャネル番号とが格納される無線側回線テーブル６５を有する。
【００４０】
さらに、プロセッサ７６ａは、このような無線側回線にハンドオーバトランク７４ａ1〜７４ａNの何れかを介して接続され、かつヘッダコンバータ７２11〜７２1N、７２M1〜７２MNの何れかとＡＴＭスイッチ７３ａとを介して通話相手に至る通話路の形成に供されるべき回線（以下、「固定回線」という。）について、図８に示すように、構成を示すＶＣＩ、ＶＰＩに併せて、何らかの呼に割り付けられているか否かを示すステータスＢ／Ｉと、そのステータスがＢ（割り付けられていることを示す。）であるときに該当する呼の識別情報とが格納される固定回線テーブル６６を有する。
【００４１】
なお、上述した無線側回線テーブル６５および固定回線テーブル６６に格納されるＶＣＩ、ＶＰＩおよびＬＬＮについては、無線系ＰＶＣテーブル６４と同様にして局情報として設定される。
ＡＴＭ交換機３０では、プロセッサ７６ａは、自局が始動したり、無線基地局３２、無線基地局３２および多重分離装置７１の何れかが立ち上がった場合には、無線系ＰＶＣテーブル６４に登録されたＶＣＩ、ＶＰＩ、ＬＬＮの組み合わせを順次取得し、これらの組み合わせを該当する無線チャネルに対応付けつつ無線基地局３２、無線基地局３２および多重分離装置７１に既設の通信リンク（図示されない。）を介して与える。
【００４２】
無線基地局３２、無線回線制御局３１および多重分離装置７１は、その無線基地局３２から無線回線制御局３１、多重分離装置７１およびヘッダコンバータ７２11〜７２1N、７２M1〜７２MNを介してＡＴＭスイッチ７３ａに至る区間に、このようにして与えられるＶＣＩ、ＶＰＩ、ＬＬＮに適応したＰＶＣを定常的に形成する。
【００４３】
また、上述した無線側回線および固定回線については、無線側回線テーブル６５および固定回線テーブル６６に網掛けを付して示すように、個々の構成が局情報として予め設定される。しかし、プロセッサ７６ａは、これらの無線側回線および固定回線の割り付けについては呼が生起する度に適宜行うために、初期設定のプロセスにおいて無線側回線テーブル６５および固定回線テーブル６６に含まれる全てのステータスＢ／ＩをＩ（何れの呼にも割り付けられていないことを示す。）に設定する。
【００４４】
一方、移動局は、例えば、発信する場合には、まず自局に対する無線チャネルの割り付けの要求である「無線チャネル要求」を生成して無線基地局３２に向けて送信する（図４(1))。
無線回線制御局３１では、無線制御部３６は、アンテナ３８、送受信増幅部４１、無線部４０、ベースバンド信号処理部３９および伝送路インタフェース部３７、３４を介してこのような「無線チャネル要求」を取り込む。さらに、無線制御部３６は、その「無線チャネル要求」に含まれる移動局の識別情報を認識すると、その移動局に対して空いている無線チャネル（ここでは、簡単のため、チャネル番号「７」で示されると仮定する。）を割り付けると共に、その結果（チャネル番号等からなる。）を示す「無線チャネル応答」を生成する。  また、無線制御部３６は、伝送路インタフェース部３４、３７、ベースバンド信号処理部３９、無線部４０、送受信増幅部４１およびアンテナ３８を介して、このような「無線チャネル応答」を上述した移動局に向けて送信する（図４(2))。
【００４５】
なお、以下では、上述した「無線チャネル要求」や「無線チャネル応答」のように、無線チャネル設定制御の手順に基づいて移動局と無線制御部３６との間で送受される制御情報の経路については、同様であるから省略する。
移動局は、「無線チャネル応答」を認識すると、無線基地局３２に向けて発信呼を示す「ＳＥＴＵＰメッセージ」を送信する（図４(3))。無線制御部３６は、その「ＳＥＴＵＰメッセージ」を外部インタフェース部３３を介してＡＴＭ交換機３０に与える（図４(4))。
【００４６】
ＡＴＭ交換機３０では、プロセッサ７６ａは、既述の通信リンクを介してその「ＳＥＴＵＰメッセージ」を受信すると、このような「ＳＥＴＵＰメッセージ」によって示される発信元の移動局について、図示されないサービス制御局にサービスの許否を問い合わせる（図４(5))。さらに、プロセッサ７６ａは、その問い合わせに対するサービス制御局の応答として該当する移動局の認証情報が与えられる（図４(6))と、その認証情報を一時的に保持し、かつ発信元の移動局が通信サービスの対象として適正であるか否かの判定に要する情報を要求するために、無線回線制御局３１に対して「端末認証要求」を送信する（図４(7))。
【００４７】
このような「端末認証要求」は、上述した通信リンク、外部インタフェース部３３、無線制御部３６、伝送路インタフェース部３４、３７、ベースバンド信号処理部３９、無線部４０、送受信増幅部４１およびアンテナ３８を介して移動局に向けて送信される（図４(8))。
なお、以下では、「ＳＥＴＵＰメッセージ」や「端末認証要求」のように移動局とプロセッサ７６ａとの間で相互に送受される制御情報の経路については、同様であるから省略する。
【００４８】
プロセッサ７６ａは、上述した「端末認証要求」に対する応答として移動局から無線基地局３２および無線回線制御局３１を介して受信された「端末認証結果」を受信すると、その内容の適否を先行して保持された認証情報との相関をとることにより判別する（図４(9))。さらに、プロセッサ７６ａは、その判別の結果が真である場合には、その旨を示す「ＳＥＴＵＰ応答メッセージ」を移動局に向けて送出する（図４(10)) 。
【００４９】
また、移動局は、その「ＳＥＴＵＰ応答メッセージ」を認識すると着信先を示す「ＳＥＴＵＰ（相手番号）メッセージ」を送信する。無線回線制御局３１では、無線制御部３６は、このような「ＳＥＴＵＰ（相手番号）メッセージ」に先行して該当する呼に割り付けた無線チャネルのチャネル番号を付加することにより、同様の「ＳＥＴＵＰ（相手番号）メッセージ」としてＡＴＭ交換機３０に向けて中継する
プロセッサ７６ａは、このような「ＳＥＴＵＰ（相手番号）メッセージ」を受信する(図４(11))と、その「ＳＥＴＵＰ（相手番号）メッセージ」に含まれるチャネル番号を呼の識別情報に対応つけて保持した後に、サービス制御局に問い合わせることにより該当する着信先がその呼処理の対象として適正であるか否かを判別する。さらに、プロセッサ７６ａは、その判別の結果が真である場合には、ハンドオーバトランク７４ａ1〜７４ａNの内、空いているもの（以下では、簡単のため、符号「７４ａ1 」が付されたものであると仮定する。）を捕捉する（図４(12)) 。
【００５０】
また、プロセッサ７６ａは、固定回線テーブル６６を参照することにより空いている（ステータスＢ／ＩがＩである）単一の固定回線を求め、該当する固定回線に対応した呼の識別情報として、上述した「ＳＥＴＵＰ（相手番号）メッセージ」に含まれる呼の識別情報を設定することにより、その固定回線((図９(a))ここでは、簡単のためＶＰＩ＝０、ＶＣＩ＝２０と定義されるものと仮定する。）を捕捉する。
【００５１】
さらに、プロセッサ７６ａは、「ＳＥＴＵＰ（相手番号）メッセージ」に含まれるチャネル番号をキーとして無線系ＰＶＣテーブル６４を参照することにより、そのチャネル番号に対応した無線系ＰＶＣ((図９(b))ここでは、簡単のため、ＶＰＩ＝０、ＶＣＩ＝２、ＬＬＮ＝５と定義されるとものと仮定する。）を特定する。
【００５２】
また、プロセッサ７６ａは、無線側回線テーブル６５を参照することにより空いている（ステータスＢ／ＩがＩである）単一の無線側回線を求め、該当する「ＳＥＴＵＰ（相手番号）メッセージ」に含まれる呼の識別情報と、チャネル番号とを該当する無線側回線に対応した呼の識別情報およびチャネル番号として設定することにより、その無線側回線((図９(c))ここでは、簡単のためＶＰＩ＝１、ＶＣＩ＝５と定義されるものと仮定する。）を捕捉する。
【００５３】
さらに、プロセッサ７６ａは、ヘッダコンバータ７２11〜７２1N、７２M1〜７２MNの内、このようにして得られた無線系ＰＶＣに対応するものと、ＡＴＭスイッチ７３ａと、ハンドオーバトランク７４ａ1 とに対して、その無線系ＰＶＣに併せて、同様にして得られた固定回線および無線側回線の構成（ＶＰＩ、ＶＣＩ、ＬＬＮ等で示される。）を与えることにより、ハンドオーバトランク７４ａ1 が無線側回線を介して無線系ＰＶＣに接続され、かつ呼処理の手順に基づく番号解析の結果として特定されるべき通話相手に至る通話路の一端として、ＡＴＭスイッチ７３ａの対応するポートに固定回線を介して接続される。
【００５４】
また、プロセッサ７６ａは、同様の無線系ＰＶＣ、無線側回線、固定回線の構成をハンドオーバトランク７４ａ1 に与えることにより、そのハンドオーバトランク７４ａ1 を起動し、かつ呼設定処理の過程である旨を示す「ＣＡＬＬ  ＰＲＯＣメッセージ」を移動局に向けて送出する(図４(13))。さらに、プロセッサ７６ａは、所定の手順に基づいて着信先の交換機と対向して呼設定を行う(図４(14))ことにより通話相手が応答したことを認識すると、該当する呼に通話サービスを提供する。
【００５５】
ハンドオーバトランク７４ａ1 では、各部は、上述したように起動されると、制御部６３が主導的に行う制御の下で以下の動作を行う。
回線インタフェース部５１ｄ、５１ｕは、ＡＴＭスイッチ７３ａの対応するポートを介して与えられる個々のセルについて同期をとり、かつこれらの回線インタフェース部５１ｄ、５１ｕで挟まれた各部が行う処理に適応したフォーマット（以下、このようなフォーマットを有するセルを「内部セル」という。）との変換を相互に行う。セル抽出部５２は、回線インタフェース部５１ｄを介して与えられる内部セルを取り込み、その内部セルに含まれるＶＰＩ、ＶＣＩ、品質情報その他の制御情報を順次抽出する。書き込み制御部５６は個々の内部セルについて、蓄積に要する制御情報をセル抽出部５２およびセル識別部６２を介して取得し、アドレス変換部６０はこのようにして取得された制御情報（セルの番号、ＶＰＩ、ＶＣＩを含む。）をバッファ監視部５９が行う領域管理に基づいて順次書き込みアドレスに変換する。さらに、セルバッファ５３は、そのアドレスで示される記憶領域にセル抽出部５２を介して与えられる内部セルを蓄積する。
【００５６】
読み出し制御部５８は、書き込み制御部５６によって取得された制御情報に基づいてセル情報管理部５７が内部セルについて行う管理（読み出しの対象となるべきか否かの判別等）と、バッファ監視部５９が行う領域管理とに基づいてセルバッファ５３の読み出しにかかわる制御を行う。アドレス変換部６０は、このような制御と領域管理とにしたがってセルバッファ５３の読み出しアドレスを生成する。
【００５７】
ヘッダ変換部６１は、制御部６３を介してプロセッサ７６ａから与えられた無線系ＰＶＣ、無線側回線、固定回線の構成に基づいて更新されるべきヘッダを読み出し制御部５８が行う制御の下で生成する。
セル変換部５４は、セルバッファ５３の記憶領域の内、アドレス変換部６０が生成するアドレスで示された記憶領域から順次内部セルを読み出し、その内部セルのヘッダとしてヘッダ変換部６１によって生成されたヘッダを設定する。回線インタフェース部５１ｕは、このようにして得られた内部セルについて、回線インタフェース部５１ｄと同様にしてフォーマット変換を行うことにより対応するセルを生成し、かつ同期をとりつつＡＴＭスイッチ７３ａの対応するポートに与える。
【００５８】
したがって、ハンドオーバトランク７４ａ1 では、上述した無線側回線と固定回線との間を結ぶ通話路が定常的に形成される。
また、移動局は、自局が位置する無線ゾーンに隣接する無線ゾーンについて、伝送品質の監視に供されるべき無線チャネルが予め与えられ、通話状態では、その無線チャネルの伝送品質を絶えず監視する。さらに、移動局は、このような伝送品質がハンドオーバの移行先の候補となり得ることを認識すると、その旨を示し、かつ該当する無線ゾーンの識別情報を含む「ハンドオーバ要求」を送信する（図５(1))。
【００５９】
ＡＴＭ交換機３０では、プロセッサ７６ａは、その「ハンドオーバ要求」で示される無線ゾーンを形成する無線基地局（図示されない。）に「無線チャネル割り付け要求」を送出し（図５(2))、このような「無線チャネル割り付け要求」に対する応答として「無線チャネル割り付け結果」が与えられると、その「無線チャネル割り付け結果」に含まれる無線チャネルを示すチャネル番号（ここでは、簡単のため「９」であると仮定する。）を得る。
【００６０】
さらに、プロセッサ７６ａは、無線側回線テーブル６５を参照することにより空いている（ステータスＢ／ＩがＩである）単一の無線側回線を求め、該当する「ＳＥＴＵＰ（相手番号）メッセージ」に含まれる呼の識別情報と、チャネル番号とを該当する無線側回線に対応した呼の識別情報およびチャネル番号として設定することにより、その無線側回線((図９(e))ここでは、簡単のためＶＰＩ＝１、ＶＣＩ＝６と定義されるものと仮定する。）を捕捉する。
【００６１】
また、プロセッサ７６ａは、上述したチャネル番号をキーとして無線系ＰＶＣテーブル６４を参照することにより、該当する移行先の候補の無線チャネルに対応して予め形成された無線系ＰＶＣ((図９(d))ここでは、簡単のため、ＶＰＩ＝０、ＶＣＩ＝２、ＬＬＮ＝６と定義されるとものと仮定する。）を特定する（図５(3))。
さらに、プロセッサ７６ａは、ヘッダコンバータ７２11〜７２1N、７２M1〜７２MNの内、このようにして得られた無線系ＰＶＣに対応するものと、ＡＴＭスイッチ７３ａと、ハンドオーバトランク７４ａ1 とに対して、その無線系ＰＶＣに併せて、同様にして得られた固定回線および無線側回線の構成（ＶＰＩ、ＶＣＩ、ＬＬＮ等で示される。）を与えることにより、ハンドオーバトランク７４ａ1 を無線側回線（ＶＰＩ＝１、ＶＣＩ＝６）を介して無線系ＰＶＣ（ＶＰＩ＝０、ＶＣＩ＝２、ＬＬＮ＝６）に接続する。
【００６２】
また、プロセッサ７６ａは、移動局に対して該当する移行先の候補の無線チャネルについて同期を確立すべき旨を示す「同期確立要求」を送出し（図５(4))、その移動局と図示されない無線基地局および無線回線制御局とを介して同期を確立すると、上述した無線系ＰＶＣおよび無線側回線の構成をハンドオーバトランク７４ａ1 に与える（図５(5))。
【００６３】
ハンドオーバトランク７４ａ1 では、制御部６３は、回線インタフェース部５１ｄ、５１ｕを介してＡＴＭスイッチ７３ａとの間に形成され得る複数の無線側回線の割り付けにかかわる制御を行い、かつ上述したようにプロセッサ７６ａによって無線系ＰＶＣおよび無線側回線の構成が与えられると、その構成と、先行して与えられた無線系ＰＶＣおよび無線側回線の構成とをヘッダ変換部６１、セル識別部６２および品質情報比較部５５に与える。
【００６４】
また、セル識別部６２はこれらの複数の無線側回線の構成に対応した内部セルを識別して書き込み制御部５６および読み出し制御部５８に通知し、ヘッダ変換部６１は上述した無線系ＰＶＣおよび無線側回線の複数の組み合わせについて並行してヘッダ変換を行う。
さらに、品質情報比較部５５は、同様の複数の無線側回線の構成に対応した内部セルに含まれる信頼度情報を比較し、これらのセルの内、その信頼度情報で示される伝送品質が最大であるものを選択してセルバッファ５３に与える。
【００６５】
したがって、ハンドオーバトランク７４ａ1 では、同じ移動局から複数の無線ゾーンを介して並行して与えられる通話信号の内、伝送品質が高いものが自律的に選択される。
また、移動局は、通話状態では、上述したチャネル番号「７」、「９」で示される無線チャネルの下りの伝送品質を所定の頻度で監視し、その伝送品質がハンドオーバの移行先の候補とはなり得ない程度に低下したことを認識すると、該当する無線チャネルの識別情報を含む「回線解放通知」を送信する（図５(6))。
【００６６】
ＡＴＭ交換機３０では、プロセッサ７６ａは、その「回線解放通知」で示される無線チャネルを形成する無線基地局（ここでは、簡単のため符号「３２」で示されると仮定する。）に「無線チャネル解放要求」を送出し（図５(7))、このような「無線チャネル解放要求」に対する応答として「無線チャネル解放完了通知」が与えられる（図５(8))と、その「無線チャネル解放完了通知」に含まれるチャネル番号を得る。
【００６７】
さらに、プロセッサ７６ａは、そのチャネル番号をキーとして無線側回線テーブル６５を参照することにより該当する無線側回線の捕捉を解除し（ステータスＢ／ＩをＩに設定）する。
また、プロセッサ７６ａは、ハンドオーバトランク７４ａ1 にその無線側回線の構成（ＶＰＩ、ＶＣＩ、ＬＬＮで示される。）を与えることにより、ハンドオーバトランク７４ａ1 と無線側回線((図９(c))ＶＰＩ＝１、ＶＣＩ＝５）との間のコネクションを解除する。
【００６８】
さらに、プロセッサ７６ａは、上述したように無線側回線とのリンクが解除された旨を示す「回線解放完了通知」を無線基地局および移動局に向けて送出する（図５(9))。
【００６９】
このように本実施形態によれば、移動局がアクセスし得る複数の無線ゾーンに個別に割り付けられた無線チャネルとハンドオーバトランクとの間には定常的にＰＶＣが形成され、かつハンドオーバがそのハンドオーバトランクが信頼度情報に基づいて自律的に行う無線側回線の選択と、その選択の枠の設定と更新とについてプロセッサ７６ａが補助的に行う処理との連係の下で確実にかつ円滑にハンドオーバが行われる。
【００７０】
したがって、本実施形態によれば、プロセッサ７６ａは従来例とは異なる処理を行わなければならないが、通話中チャネル切り替えにかかわる処理の負荷がハンドオーバトランク７４ａ1〜７４ａNに分散されて応答性が向上する。
なお、本実施形態では、全ての無線ゾーンが互いに隣接ゾーンや周辺ゾーンとなることが前提となっているが、本発明は、このような構成に限定されず、例えば、地理的に離散して形成された無線ゾーンの集合の単位に適用可能である。さらに、このような構成の下では、ハンドオーバトランク７４ａ1〜７４ａNは実際に隣接ゾーンや周辺ゾーンとはならない無線ゾーンについても伝送品質の比較を行う必要がなく、このような比較を行うために要するハードウエアの規模の増大や無用な応答性の劣化が回避される。
【００７１】
また、本実施形態では、既存のＡＴＭ交換機に本発明が適用されているが、本発明は、このようなＡＴＭ交換機に限定されず、通話中チャネル切り替えについて所望の高い応答性が確保されるならば、ＳＴＭ交換機についても同様に適用可能であれる。
さらに、本実施形態では、ハンドオフを伴わない呼（例えば、非移動体に設置された端末に生起した呼）に対してサービスを提供するために用いられるトランクと、このようなトランクを主導的に制御することにより行われる呼処理とにかかわる説明がなされていないが、このようなトランクおよび呼処理については、公知であって本発明に関係がないので、説明を省略する。
【００７２】
また、本実施形態では、ヘッダコンバータ７２21〜７２2N、…、７２M1〜７２MNとハンドオーバトランク７４ａ1〜７４ａNとの間に、無線系の通話路がＡＴＭスイッチ７３ａを介して形成されているが、本発明はこのような構成に限定されず、例えば、これらの無線系の通話路がＡＴＭスイッチ７３ａとは別体のハードウエアを介して構成されてもよい。
【００７３】
さらに、本実施形態では、通話中チャネル切り替えの移行先の候補となる無線ゾーンが２つである場合について説明されているが、このような候補となる無線ゾーンの数については、３つ以上であってもよい。
また、本実施形態では、全ての無線チャネルに対応した無線系ＰＶＣが固定的に割り付けられているが、例えば、「ＣＡＬＬ  ＰＲＯＣメッセージ」が受信されたときに、無線回線制御局３１に備えられた無線制御部３６が通話に供されるべき無線チャネルと無線系ＰＶＣとの対応関係を動的に設定することも可能である。
【００７４】
【発明の効果】
上述したように請求項１に記載の発明では、無線系の通話路が呼処理の手順に基づいて動的に形成される場合に比べて、通話中チャネル切り替えに伴う通話路の切り替えに要する処理の負荷がハンドオーバトランクに対して確実に分散される。
【００７５】
また、請求項２に記載の発明では、負荷が大幅に軽減され、呼が生起した移動局の移動に応じて頻繁に行われる通話中チャネル切り替えに確実に適応しつつ伝送品質が高く維持される。
さらに、請求項３に記載の発明では、ハードウエアの構成に変更を来すことなく頻繁に行われる通話中チャネル切り替えに柔軟に適応することが可能となる。
【００７６】
また、請求項４に記載の発明では、対向系通話路形成手段の固有のポートの数の範囲では全ての無線系の通話路を予め形成することができない場合であっても、無線系通話路形成手段が付加された構成の下で、請求項１、２に記載の交換機と同様にして、その対向系通話路形成手段や呼処理手段の負荷がハンドオーバトランクに対して確実に分散され、かつ頻繁に行われる通話中チャネル切り替えに適応しつつ伝送品質が高く維持される。
【００７７】
請求項５に記載の発明では、電話系の呼だけではなく、データ系の呼についても画一的に通信路が確保され、かつ効率的に通話路の選定が行われる。
したがって、これらの発明の適用の下では、ゾーン構成、個々の無線ゾーンにおけるトラヒックの分布、収容可能な移動局の数その他の仕様に柔軟に適応し、かつ標準化された既存の交換機の構成や処理量に大幅な変更を来すことなく確実に移動通信システムが実現される。
【図面の簡単な説明】
【図１】請求項１〜５に記載の発明の原理ブロック図である。
【図２】請求項１〜５に記載の発明に対応した実施形態を示す図である。
【図３】ハンドオーバトランクの構成を示す図である。
【図４】本実施形態の動作を説明する図(1) である。
【図５】本実施形態の動作を説明する図(2) である。
【図６】無線系ＰＶＣテーブルの構成を示す図である。
【図７】無線側回線テーブルの構成を示す図である。
【図８】固定回線テーブルの構成を示す図である。
【図９】本実施形態において形成されるコネクションを示す図である。
【図１０】移動通信システムに適用されたＡＴＭ交換機の構成例を示す図である。
【図１１】標準セルおよびパーシャルフィリングセルの構成を示す図である。
【符号の説明】
１１  ハンドオーバトランク
１２  無線インタフェース手段
１３  無線系通話路形成手段
１４  呼処理手段
１５  対向系通話路形成手段
２１  記憶手段
３０  ＡＴＭ交換機
３１  無線回線制御局
３２  無線基地局
３３  外部インタフェース部（ＥＩＦ）
３４，３７  伝送路インタフェース部（ＨＩＦ）
３５  スイッチ部（ＳＷ）
３６  無線制御部（ＲＣＮＴ）
３８  アンテナ
３９  ベースバンド信号処理部（ＢＢ）
４０  無線部（ＴＲＸ）
４１  送受信増幅部（ＡＭＰ）
４２  制御部
５１ｄ  回線インタフェース部（ＩＮＦＲ）
５１ｕ  回線インタフェース部（ＩＮＦＳ）
５２  セル抽出部（ＤＲＯＰ）
５３  セルバッファ（ＢＵＦＦ）
５４  セル変換部（ＩＮＳ）
５５  品質情報比較部（ＱＣＭＰ）
５６  書き込み制御部（ＷＣ）
５７  セル情報管理部（ＩＭＮＧ）
５８  読み出し制御部（ＲＣ）
５９  バッファ監視部（ＢＭＮＧ）
６０  アドレス変換部（ＡＤＣＶ）
６１  ヘッダ変換部（ＨＣＶ）
６２  セル識別部（ＣＨＣＶ）
６３  制御部（ＣＮＴ）
６４  無線系ＰＶＣテーブル
６５  無線側回線テーブル
６６  固定回線テーブル
７１，７１ａ  多重分離装置
７２  ヘッダコンバータ（ＨＣＶ）
７３，７３ａ  ＡＴＭスイッチ
７４，７４ａ  ハンドオーバトランク
７６，７６ａ  プロセッサ
【図１】
0003655716.tif 000002
【図２】
0003655716.tif 000003
【図３】
0003655716.tif 000004
【図４】
0003655716.tif 000005
【図５】
0003655716.tif 000006
【図６】
0003655716.tif 000007
【図７】
0003655716.tif 000008
【図８】
0003655716.tif 000009
【図９】
0003655716.tif 000010
【図１０】
0003655716.tif 000011
【図１１】
0003655716.tif 000012